(57)【要約】【課題】電線カバー内において電線が絡むことを抑制する。【解決手段】本明細書によって開示される電線カバー２０は、ハウジング５０から引き出された複数の電線Ｗを覆う電線カバー２０であって、ハウジング５０から引き出された複数の電線Ｗが前方から導入され、右方向に複数の電線Ｗを導出するカバー本体２２と、カバー本体２２の内面に設けられ、複数の電線Ｗのうちカバー本体２２に対して電線Ｗが導入される電線導入位置ＰＩから電線Ｗが導出される電線導出位置ＰＯまでのカバー内距離が最も長くなる配置の左側の大径電線ＷＬよりも、複数の電線Ｗのうちカバー内距離が短くなる配置の小径電線ＷＳをカバー本体２２内に設けられた余長収容空間３７に案内する案内部３０とを備える構成とした。【選択図】図２
2020030907.tif 000002
【特許請求の範囲】
【請求項１】
ハウジングから引き出された複数の電線を覆う電線カバーであって、
前記ハウジングから引き出された前記複数の電線が導入され、前記複数の電線が導入される方向と交差する方向に前記複数の電線を導出するカバー本体と、
前記カバー本体内に設けられた余長収容空間と、
前記カバー本体の内面に設けられた案内部とを備えており、
前記カバー本体に対して前記電線が導入される電線導入位置から前記電線が導出される電線導出位置までの距離をカバー内距離としたとき、
前記案内部は、前記複数の電線のうち前記カバー内距離が最も長くなる配置の基準電線よりも前記カバー内距離が短くなる配置の少なくとも1本の電線を前記余長収容空間に案内する電線カバー。
【請求項２】
前記電線カバー内の前記余長収容空間は、前記案内部を基準に前記電線導出位置とは反対側にそれぞれ設けられており、
前記案内部は、前記電線導出位置とは異なる方向に向けて傾斜する傾斜部を有している請求項１に記載の電線カバー。
【請求項３】
前記傾斜部は、それぞれの前記電線に対応するように複数に設けられており、
前記傾斜部は、前記電線導出位置に近いほど前記傾斜部の傾斜開始位置が前記余長収容空間から離れている請求項２に記載の電線カバー。
【請求項４】
前記複数の電線は、前記複数の電線を一括して覆う外被覆と、前記外被覆の端末において前記複数の電線と前記外被覆との間を止水する止水部材とに覆われた状態で前記電線カバーから引き出されている請求項１から請求項３のいずれか一項に記載の電線カバー。
【請求項５】
前記ハウジングから引き出される前記電線には、前記ハウジングと前記電線とに弾性的に密着するゴム栓が外嵌されており、
前記案内部は、前記ハウジングから引き出される前記電線を前記電線の引き出し方向に向かって直線的に保持する保持部を有している請求項１から請求項４のいずれか一項に記載の電線カバー。
【請求項６】
前記ハウジングには、前記余長収容空間内に配された前記電線を係止する係止部が設けられている請求項１から請求項５のいずれか一項に記載の電線カバー。
【請求項７】
複数の電線が引き出されるハウジングと、
請求項１から請求項６のいずれか一項に記載の電線カバーとを備えた電線カバー付きコネクタ。
【発明の詳細な説明】
【技術分野】
【０００１】
本明細書によって開示される技術は、電線カバーおよび電線カバー付きコネクタに関する。
【背景技術】
【０００２】
例えば、コネクタに取り付けられる電線カバーとして、特開２０１３−１３４９６１号公報（下記特許文献１）に記載のものが知られている。この電線カバーは、コネクタハウジングから後方に引き出された複数の電線を屈曲した状態で収容することで、複数の電線を保護しつつ所定の方向へ案内して導き出している。
【先行技術文献】
【特許文献】
【０００３】
【特許文献１】特開２０１３−１３４９６１号公報
【発明の概要】
【発明が解決しようとする課題】
【０００４】
ところで、上記の複数の電線の長さ寸法を個別に管理することができず、電線カバー内に複数の電線がほぼ同一の長さ寸法で収容されている場合、電線カバーの電線導入位置から電線カバーの電線引出位置のカバー内距離が最も長い配置となる電線よりもカバー内距離が短い配置となる電線は、電線カバー内において余長が生じ、余長が電線カバー内において絡むことで電線カバーの組み付け作業性が低下してしまう。
【０００５】
本明細書では、電線カバー内において電線が絡むことを抑制する技術を開示する。
【課題を解決するための手段】
【０００６】
本明細書によって開示される技術は、ハウジングから引き出された複数の電線を覆う電線カバーであって、前記ハウジングから引き出された前記複数の電線が導入され、前記複数の電線が導入される方向と交差する方向に前記複数の電線を導出するカバー本体と、前記カバー本体内に設けられた余長収容空間と、前記カバー本体の内面に設けられた案内部とを備えており、前記カバー本体に対して前記電線が導入される電線導入位置から前記電線が導出される電線導出位置までの距離をカバー内距離としたとき、前記案内部は、前記複数の電線のうち前記カバー内距離が最も長くなる配置の基準電線よりも前記カバー内距離が短くなる配置の少なくとも1本の電線を前記余長収容空間に案内する構成とした。
【０００７】
また、本明細書によって開示される技術は、電線カバー付きコネクタであって、複数の電線が引き出されるハウジングと、上記の電線カバーとを備えている構成とした。
【０００８】
このような電線カバーによると、本来であればデッドスペースとなる余長収容空間に基準電線よりもカバー内距離が短い配置の電線を案内部によって案内し、電線の余長を余長収容空間に配索することができる。これにより、電線カバー内において電線が絡むことを抑制し、電線カバーの組み付け作業性が低下することを防ぐことができる。
【０００９】
本明細書によって開示される電線カバーは、以下の構成としてもよい。
【００１０】
前記電線カバー内の前記余長収容空間は、前記案内部を基準に前記電線導出位置とは反対側にそれぞれ設けられており、前記案内部は、前記電線導出位置とは異なる方向に向けて傾斜する傾斜部を有している構成としてもよい。
【００１１】
このような構成によると、案内部を基準に電線導出位置とは反対側の本来ならデッドスペースとなるカバー本体内の領域を、電線の余長を収容する余長収容空間とすることができる。これにより、案内部よりも電線導出位置側の領域において電線の余長の全てを収容する必要がなく、電線カバー内において小径電線の余長が絡み合うことを抑制することができる。
【００１２】
前記傾斜部は、それぞれの前記電線に対応するように複数に設けられており、前記傾斜部は、前記電線導出位置に近いほど前記傾斜部の傾斜開始位置が前記余長収容空間から離れている構成としてもよい。
【００１３】
一般に、電線カバー内において斜め方向に離れた位置まで電線を配索する場合、電線を斜めに配索する部分が短いほど電線経路が長くなる。
つまり、カバー内距離が短くなる電線ほど余長が増加するけれども、基準電線から離れた電線に対応する傾斜部ほど傾斜開始位置が余長収容空間に近くなり電線経路が長くなるから、案内部において電線の余長を吸収し、限られた電線カバー内のスペースにおいて電線の余長を効率良く収容することができる。
【００１４】
前記複数の電線は、前記複数の電線を一括して覆う外被覆と、前記外被覆の端末において前記複数の電線と前記外被覆との間を止水する止水部材とに覆われた状態で前記電線カバーから引き出されている構成としてもよい。
【００１５】
このような構成のように、複数の電線が外被覆や止水部材に固定されており、ハウジングから引き出された複数の電線の長さ寸法を電線の導出部分において変更することができない場合には、上記の構成は、非常に有効である。
【００１６】
前記ハウジングから引き出される前記電線には、前記ハウジングと前記電線とに弾性的に密着するゴム栓が外嵌されており、前記案内部は、前記ハウジングから引き出される前記電線を前記電線の引き出し方向に向かって直線的に保持する保持部を有している構成としてもよい。
【００１７】
ハウジングと電線との間にゴム栓が装着されている場合、電線が屈曲されることでゴム栓が変形し、ハウジングと電線との間の止水性能が低下することが懸念される。
【００１８】
ところが、このような構成によると、ゴム栓が外嵌された電線を保持部によって電線の引き出し方向に向かって直線的に保持しているから、ゴム栓が変形することを防ぐことができる。
つまり、保持部によってゴム栓が変形することを防ぎつつ、電線の余長を余長収容空間に配索し、電線カバー内において電線が絡むことを抑制することができる。
【００１９】
前記ハウジングには、前記余長収容空間内に配された前記電線を係止する係止部が設けられている構成としてもよい。
【００２０】
このような構成によると、余長収容空間内の電線の余長を係止部によって係止することで余長収容空間に配索された電線が余長収容空間からはみ出して絡んでしまうことを防ぐことができる。
【発明の効果】
【００２１】
本明細書によって開示される技術によれば、電線カバー内において電線が絡むことを抑制することができる。
【図面の簡単な説明】
【００２２】
【図１】電線カバー付きコネクタの平面図
【図２】電線カバー付きコネクタの断面図
【図３】小径電線が余長収容空間に配置された状態を示す電線カバー付きコネクタの断面図
【図４】従来の電線カバー付きコネクタの断面図
【発明を実施するための形態】
【００２３】
＜実施形態＞
本明細書に開示された技術における一実施形態について図１から図３を参照して説明する。
【００２４】
本実施形態は、車両のタイヤ周辺などのスペースが限られた場所に搭載される電線カバー付きコネクタ１０を例示している。電線カバー付きコネクタ１０は、図１から図３に示すように、合成樹脂製のハウジング５０と、ハウジング５０から後方に引き出される複数の電線Ｗを一括して覆う電線カバー２０と、ハウジング５０と電線カバー２０とに亘って取り付けられるジョイントカバー８０とを備えて構成されている。
【００２５】
ハウジング５０は、図２および図３に示すように、相手側コネクタＣと嵌合可能とされており、相手側コネクタＣに内嵌可能なインナハウジング５１と、相手側コネクタＣに外嵌可能なアウタハウジング６０とを備えている。
【００２６】
インナハウジング５１は、左右方向に長い扁平な形態とされており、インナハウジング５１の左右方向両側の側壁には、左右方向外側に突出する係止受け部５３が設けられている。
【００２７】
また、インナハウジング５１は、雌端子Ｔが収容される複数のキャビティ５４を有している。各キャビティ５４は前後方向に延びて形成されており、左右方向に並んで配置されている。キャビティ５４は、前後方向に開口しており、キャビティ５４の後端開口から雌端子Ｔが挿入可能とされている。キャビティ５４内に挿入された雌端子Ｔは、図示しないランス等の公知の手法により、抜け止め状態で収容されている。各キャビティ５４の前端開口からは相手側コネクタＣの図示しない雄端子が挿入可能とされ、キャビティ５４の後端開口からは、各キャビティ５４内の雌端子Ｔに接続された電線Ｗが後方に導出されている。
【００２８】
また、キャビティ５４の後端部は、電線Ｗの端末に外嵌されるゴム栓Ｇを収容するゴム栓収容部５５とされている。電線Ｗに外嵌されたゴム栓Ｇがゴム栓収容部５５内に収容されると、ゴム栓Ｇがゴム栓収容部５５の内周面と電線Ｗとに密着し、キャビティ５４の後端開口からキャビティ５４内に水などが浸入することを防ぐことができるようになっている。
【００２９】
また、複数のキャビティ５４のうち左側の２つのキャビティ５４は大型の雌端子Ｔが収容されるようになっており、左側２つのキャビティ５４から引き出される２つの電線Ｗは、大径電線ＷＬとされ、その他のキャビティ５４から引き出される３つの電線Ｗは、大径電線ＷＬよりも小径の小径電線ＷＳとされている。
【００３０】
アウタハウジング６０は、前後方向に貫通した筒状に形成されており、アウタハウジング６０の内部には、後方からインナハウジング５１が嵌合可能とされている。
【００３１】
アウタハウジング６０の左右方向両側の側壁には、インナハウジング５１の係止受け部５３と係止する係止片６２が設けられている。係止片６２は、アウタハウジング６０内にインナハウジング５１が嵌合されると、図２および図３に示すように、係止受け部５３と前後方向に係止することでアウタハウジング６０内にインナハウジング５１が保持されるようになっている。
【００３２】
電線カバー２０は、ハウジング５０よりも左右方向に長い細長い形状をなしている。電線カバー２０は、左右方向略中央部よりも左側の部分が前方に向かって開口する電線導入部２１を有するカバー本体２２とされ、カバー本体２２よりも右側の部分が右方に向かって延びる電線導出部４０とされている。
【００３３】
カバー本体２２は、図２に示すように、インナハウジング５１から後方に向かって直線的に延びる複数の電線Ｗを電線導入部２１からカバー本体内に導入した後、全て電線Ｗを電線導出部４０に向かって引き出している。
【００３４】
ここで、電線導入部２１からカバー本体２２内に導入された複数の電線Ｗのうち最も左側に配された電線Ｗ１は、図２に示すように、カバー本体２２に導入される電線導入位置ＰＩ１から電線Ｗがカバー本体２２から導出される電線導出位置ＰＯ１までのカバー内距離ＬＷ１が最も長くなっており、電線導入位置ＰＩが右側の配置になるほどカバー内距離が短くなる。そして、電線導入部２１からカバー本体２２内に導入された複数の電線Ｗのうち最も右側に配された電線Ｗ２は、電線導入位置ＰＩ２から導出される電線導出位置ＰＯ２までのカバー内距離ＬＷ２が最も短くなっている。
【００３５】
電線導出部４０は、略筒状をなしており、電線導出部４０の右側端部には、止水部材４５が組み付けられている。
止水部材４５は、複数の電線Ｗが挿通される一括ゴム栓４６と、一括ゴム栓４６に外嵌される合成樹脂製のキャップ４９とを備えて構成されている。
【００３６】
一括ゴム栓４６は、略円筒状をなし、左半分が複数の電線Ｗがそれぞれ挿通される電線挿通孔４７Ａを有する電線挿通部４７とされ、右半分が複数の電線Ｗを一括して覆うシース（「外被覆」の一例）Ｓに外嵌されるシース外嵌部４８とされている。
【００３７】
キャップ４９は、左右方向に開口する略円筒状をなしている。キャップ４９は、一括ゴム栓４６に外嵌することで一括ゴム栓４６を径方向内側に向かって押圧し、複数の電線ＷおよびシースＳと一括ゴム栓４６とを密着させることでシースＳの端部から水などが浸入しないように止水している。また、複数の電線Ｗと一括ゴム栓４６とが密着することで各電線Ｗが左右方向に位置ずれしないように固定される。
【００３８】
また、電線カバー２０は、上方に向かって開口する下側電線カバー２５と、下方に向かって開口した状態で下側電線カバー２５に上方から組み付けられる上側電線カバー２６とを備えて構成されている。下側電線カバー２５の前後方向両側の側壁には、上側電線カバー２６の前後方向両側の側壁に設けられた複数のカバーロック受け部２７と上下方向に係止する複数のカバーロック部２８が形成されており、カバーロック受け部２７とカバーロック部２８とが上下方向に係止することで下側電線カバー２５と上側電線カバー２６とが一体となって電線カバー２０を構成するようになっている。
【００３９】
電線カバー２０は、図２に示すように、ハウジング５０の後方のやや離れた位置に配置されるようになっており、ハウジング５０の後部および電線カバー２０の前端部の外周に組み付けられるジョイントカバー８０によって一体に固定されるようになっている。
【００４０】
ジョイントカバー８０は、前後方向に開口する筒状をなしており、上方に向かって開口する正面視Ｕ字状をなす下側ジョイントカバー８１と、下側ジョイントカバー８１に上方から組み付けられる正面視逆Ｕ字状をなす上側ジョイントカバー８２とによって構成される。
【００４１】
上側ジョイントカバー８２の左右方向両側の側壁には、下側ジョイントカバー８１の左右方向両側の側壁に設けられたカバー係止受け部８３と上下方向に係止可能なカバー係止部８４がそれぞれ設けられている。カバー係止部８４は、下側ジョイントカバー８１に対して上側ジョイントカバー８２が上方から組み付けた際に、カバー係止受け部８３と上下方向に係止し、上側ジョイントカバー８２と下側ジョイントカバー８１とを一体に組み付けるようになっている。
【００４２】
また、上側ジョイントカバー８２および下側ジョイントカバー８１は、ハウジング５０の後部および電線カバー２０の前端部に対して前後方向に係止可能とされている。
【００４３】
したがって、下側ジョイントカバー８１上にハウジング５０のアウタハウジング６０の後部と電線カバー２０の前端部とを配置し、下側ジョイントカバー８１に上側ジョイントカバー８２を組み付けることで、ハウジング５０の後部および電線カバー２０の前端部の外周にジョイントカバー８０が組み付けられ、ハウジング５０と電線カバー２０とがジョイントカバー８０によって一体に固定されるようになっている。
【００４４】
さて、電線カバー２０のカバー本体２２内には、図２および図３に示すように、電線導入部２１の後方に設けられた案内部３０と、案内部３０の後方に設けられた電線配索部３５とが設けられており、案内部３０によって複数の電線Ｗが電線配索部３５に案内されるようになっている。
案内部３０は、カバー本体２２の底壁２２Ａからカバー本体２２内に向かって突出する複数の突出部３１を有する。
【００４５】
複数の突出部３１は、カバー本体２２内に導入された複数の電線Ｗのそれぞれの左右方向両側に配されるように左右方向に６つ並んで設けられており、左から順番に第１突出部３１Ａ、第２突出部３１Ｂとされ、最も右側の突出部３１が第６突出部３１Ｆとされている。
【００４６】
したがって、第１突出部３１Ａから第３突出部（左側の３つの突出部３１）３１Ｃの間には、図２に示すように、大径電線ＷＬの外径とほぼ同じ隙間寸法の２つの大径電線配索路３２Ｌが形成され、第３突出部３１Ｃから第６突出部（右側の４つの突出部３１）３１Ｆの間には、小径電線ＷＳの外径とほぼ同じ隙間寸法の３つの小径電線配索路３２Ｓが形成されている。
【００４７】
第１突出部３１Ａ、第２突出部３１Ｂおよび第６突出部３１Ｆは、前後方向に延びた形態をなしており、第１突出部３１Ａ、第２突出部３１Ｂおよび第６突出部３１Ｆの電線Ｗ側の側部は、前後方向に真っ直ぐ延びる保持部３３とされている。
【００４８】
第３突出部３１Ｃは、左側部が前後方向に真っ直ぐ延びる保持部３３とされている。第３突出部３１Ｃの右側部は、前端部が前後方向に真っ直ぐ延びる保持部３３とされ、保持部３３よりも後方が後方（ハウジング５０から電線Ｗが引き出される方向）に向かうほど左側（電線導入部２１とは異なる反対側）に向かって傾斜する傾斜部３４とされている。
【００４９】
第４突出部３１Ｄおよび第５突出部３１Ｅは、左右方向両側部が前後方向に真っ直ぐ延びる保持部３３と、保持部３３の後方に連なって形成された傾斜部３４とによって構成されている。第４突出部３１Ｄおよび第５突出部３１Ｅの傾斜部３４も、第３突出部３１Ｃの傾斜部３４と同様に、後方に向かうほど左側に向かって傾斜する形態とされており、第３突出部３１Ｃから第５突出部３１Ｅの傾斜部３４の傾斜角度は、いずれも同じ角度に設定されている。
【００５０】
また、第３突出部３１Ｃの右側部から第５突出部３１Ｅの右側部における保持部３３および傾斜部３４は、右側に向かうほど保持部３３が前後方向が長くなり、これに伴って傾斜部３４の傾斜開始位置である前端位置３４Ｆが後方にずれた構成となっている。
【００５１】
したがって、図２に示すように、電線導入部２１からカバー本体２２内に導入された２本の大径電線ＷＬは、それぞれの後方に配された大径電線配索路３２Ｌに配置されて、２本の大径電線ＷＬが平行となるように電線配索部３５に向かって案内される。一方、３本の小径電線ＷＳは、それぞれの後方に配された小径電線配索路３２Ｓに配置されて、３本の小径電線ＷＳが平行となるように電線配索部３５に向かって案内される。
【００５２】
詳しくは、２本の大径電線ＷＬは、第１突出部３１Ａ、第２突出部３１Ｂおよび第３突出部３１Ｃの保持部３３によってハウジング５０から電線Ｗが引き出された電線Ｗの引き出し方向である後方に向かって直線的に延びた状態に保持されて電線配索部３５に案内される。
【００５３】
一方、３本の小径電線ＷＳは、小径電線ＷＳの前端部分が、第３突出部３１Ｃ、第４突出部３１Ｄ、第５突出部３１Ｅおよび第６突出部３１Ｆの保持部３３によって後方に向かって直線的に延びた状態に保持され、その後、それぞれの傾斜部３４によって左斜め後方に向かって直線的に延びた状態に保持されて電線配索部３５に案内される。
【００５４】
また、第３突出部３１Ｃの右側部から第５突出部３１Ｅの右側部における傾斜部３４は、右側に向かうほど傾斜部３４の傾斜開始位置ある前端位置３４Ｆが後方にずれているから、３本の電線Ｗのうちカバー内距離が短い電線Ｗほど左斜め後方に向かう位置が後方となって左斜め後方に延びる距離が短くなり、電線配索部３５の後述する係止部３６の位置までの電線配索距離が長くなるようになっている。
【００５５】
電線配索部３５は、図２および図３に示すように、案内部３０の後方に隣り合って設けられている。電線配索部３５の前後方向の長さ寸法は、大径電線ＷＬの外径よりもやや大きい長さ寸法に設定されており、上下方向の高さ寸法は、複数の電線Ｗを上下方向に並べることができる高さ寸法とされている。つまり、電線配索部３５は、前後方向よりも上下方向に大きく形成されている。
【００５６】
電線配索部３５内には、電線配索部３５の底壁３５Ａから電線配索部３５内に向かって突出する係止部３６が設けられている。係止部３６は、細長い丸ピン状をなし、電線配索部３５の左右方向略中央部よりもやや左寄りの位置であって、右側の大径電線配索路３２Ｌの後方に配置されている。
【００５７】
また、電線配索部３５内には、案内部３０から導入された２本の大径電線ＷＬと３本の小径電線ＷＳとが導入されており、２本の大径電線ＷＬは、案内部３０から導入された後、右方に向かって略直角に屈曲されて電線導出部４０までほぼ直線的に延びた状態で電線配索部３５内に収容されている。
【００５８】
一方、３本の小径電線ＷＳは、案内部３０から導入された後、電線導出部４０とは反対側の左方に向かって屈曲されて大径電線ＷＬの下方を係止部３６の位置までほぼ直線状に延びており、係止部３６に対して時計回りに巻き付くように配索された後、電線導出部４０までほぼ直線的に延びた状態で電線配索部３５内に収容されている。
【００５９】
つまり、電線配索部３５内において３本の小径電線ＷＳが配された空間（電線配索部３５の下半分の空間）は、カバー内距離が長い配置の左側の大径電線ＷＬよりもカバー内距離が短い小径電線ＷＳの余長を収容する余長収容空間３７とされている。また、係止部３６は、余長収容空間３７内に配された３本の小径電線ＷＳを右方から時計回りに巻き付けるように引っ掛けることが可能となっており、引っ掛けられた小径電線ＷＳが右方に引っ張られて余長収容空間３７からはみ出すことがないように係止できるようになっている。
【００６０】
本実施形態は、以上のような構成であって、続いて、電線カバー付きコネクタ１０の作用および効果について説明する。
ハウジングから引き出される複数の電線が電線カバー内において屈曲された電線カバー付きコネクタにおいて、ハウジングから引き出される複数の電線の長さ寸法を個別に管理することができず、全ての電線Ｗの長さ寸法がほぼ同一となる場合、電線カバーの電線導入位置から電線カバーの電線引出位置までのカバー内距離が短い配置の電線は、カバー内距離が長い配置の電線に比べて、電線カバー内において余長が生じてしまう。
【００６１】
したがって、従来の電線カバー付きコネクタ１では、図４に示すように、電線カバー３内においてカバー内距離が短い配置の電線２の余長を収容する空間に案内する構成がなく、電線２の余長が電線カバー３内において絡み合ってしまう。つまり、従来の電線カバー付きコネクタ１では、電線カバー３の組み付け作業性が低下してしまうことが懸念される。
【００６２】
上記の課題を解決するため、本実施形態は、複数の電線Ｗが引き出されるハウジング５０と、ハウジング５０から引き出された複数の電線Ｗを覆う電線カバー２０とを備えた電線カバー付きコネクタ１０であって、電線カバー２０は、ハウジング５０から引き出された複数の電線Ｗが導入され、複数の電線Ｗが導入される方向と交差する方向（右方向）に複数の電線Ｗを導出するカバー本体２２と、カバー本体２２内に設けられた余長収容空間３７と、カバー本体２２の内面に設けられた案内部３０とを備えており、カバー本体２２に対して電線Ｗが導入される電線導入位置ＰＩから電線Ｗが導出される電線導出位置ＰＯまでの距離をカバー内距離としたとき、案内部３０は、複数の電線Ｗのうちカバー内距離が最も長くなる配置の基準電線（左側に配された大径電線ＷＬ）よりもカバー内距離が短くなる配置の少なくとも1本の電線（小径電線ＷＳ）を余長収容空間３７に案内する構成とした。
【００６３】
本実施形態のような電線カバー付きコネクタ１０の電線カバー２０によると、本来であればデッドスペースとなる電線配索部３５の余長収容空間３７に、基準電線（最も左側の大径電線ＷＬ）よりもカバー内距離が短い配置の小径電線ＷＳを案内部３０によって案内し、小径電線ＷＳの余長を余長収容空間３７に収容することができる。これにより、電線カバー２０内において小径電線ＷＳが絡むことを抑制し、電線カバー２０の組み付け作業性が低下することを防ぐことができる。
【００６４】
また、カバー本体２２内における電線配索部３５の余長収容空間３７は、案内部３０を基準に電線導出位置ＰＯ側（右側）とは反対側（左側）にそれぞれ設けられており、案内部３０は、電線導出位置ＰＯとは反対方向（左方向）に向けて傾斜する傾斜部３４を有している。
【００６５】
このような構成によると、案内部３０を基準に電線導出位置ＰＯ側（右側）とは反対側（左側）の本来ならデッドスペースとなるカバー本体２２内の領域を、小径電線ＷＳの余長を収容する余長収容空間３７とすることができるから、案内部３０よりも電線導出位置ＰＯ側の領域において小径電線ＷＳの余長の全てを収容する必要がなく、電線カバー２０内において小径電線ＷＳの余長が絡み合うことを抑制することができる。
【００６６】
また、傾斜部３４は、それぞれの小径電線ＷＳに対応するように複数に設けられており、傾斜部３４は、電線導出位置ＰＯに近いほど傾斜部３４の前端位置（傾斜開始位置）３４Ｆが電線導入位置ＰＩから遠くなるように配置されている。
【００６７】
一般に、電線カバー内において斜め方向に離れた位置まで小径電線を配索する場合、小径電線を斜めに配索する部分が短いほど電線経路が長くなる。
つまり、カバー内距離が短い配置の小径電線ＷＳほど余長が増加することになるけれども、カバー内距離が短い配置の小径電線ＷＳに対応する傾斜部３４ほど傾斜部３４の前端位置（傾斜開始位置）３４Ｆが電線導入位置ＰＩから遠くなり電線経路が長くなるから、案内部３０において各小径電線ＷＳの余長を吸収し、限られた電線カバー２０内のスペースにおいて小径電線ＷＳの余長を効率良く収容することができる。
【００６８】
また、複数の電線Ｗは、複数の電線Ｗを一括して覆うシース（「外被覆」の一例）Ｓと、シースＳの端末において複数の電線ＷとシースＳとの間を止水する止水部材４５とに覆われた状態で電線カバー２０から引き出されている。
本実施形態のように、複数の電線ＷがシースＳや止水部材４５に固定されており、ハウジング５０から引き出された複数の電線Ｗの長さ寸法を個別に管理できない場合には、本実施形態のような構成は、非常に有効である。
【００６９】
また、ハウジング５０から引き出される電線Ｗには、ハウジング５０と電線Ｗとに弾性的に密着するゴム栓Ｇが外嵌されており、案内部３０は、ハウジング５０から引き出される電線Ｗを電線Ｗの引き出し方向（後方）に向かって直線的に保持する保持部３３を有している。
【００７０】
本実施形態のように、ハウジング５０と電線Ｗとの間にゴム栓Ｇが装着されている場合、電線Ｗが屈曲されるとゴム栓Ｇが変形し、ハウジング５０と電線Ｗとの間の止水性能が低下することが懸念される。
【００７１】
ところが、本実施形態のように、ゴム栓Ｇが外嵌された電線Ｗを保持部３３によって電線Ｗの引き出し方向に向かって直線的に保持に保持しているから、ゴム栓Ｇが変形することを防ぐことができる。
つまり、保持部３３によってゴム栓Ｇが変形することを防ぎつつ、小径電線ＷＳの余長を余長収容空間３７に配索して電線カバー２０内において小径電線ＷＳが絡むことを抑制することができる。
【００７２】
また、ハウジング５０には、余長収容空間３７内に配された小径電線ＷＳを係止する係止部３６が設けられている。
本実施形態によると、余長収容空間３７内の小径電線ＷＳの余長を係止部３６によって係止することで余長収容空間３７に配索された小径電線ＷＳの余長が余長収容空間３７からはみ出して絡んでしまうことを防ぐことができる。
【００７３】
＜他の実施形態＞
本明細書で開示される技術は上記記述及び図面によって説明した実施形態に限定されるものではなく、例えば次のような種々の態様も含まれる。
（１）上記実施形態では、複数の電線Ｗが大径電線ＷＬと小径電線ＷＳとからなる構成にした。しかしながら、これに限らず、複数の電線が大径電線のみや小径電線のみによって構成されてもよく、３種類以上の線径の電線によって構成されてもよい。
【００７４】
（２）上記実施形態では、カバー内距離が最も長い配置の電線Ｗが大径電線ＷＬとされ、カバー内距離が最も短い配置の電線Ｗが小径電線ＷＳとされた構成にした。しかしながら、これに限らず、カバー内距離が最も長い配置の電線を小径電線とし、カバー内距離が最も短い配置の電線を大径電線とする構成にしてもよい。
【００７５】
（３）上記実施形態では、電線Ｗにゴム栓Ｇが外嵌された構成にした。しかしながら、これに限らず、電線にゴム栓が外嵌されていない構成にしてもよい。
（４）上記実施形態では、複数の電線Ｗが覆われたシースＳの端部を止水部材４５によって止水した構成にした。しかしながら、これに限らず、シースの端部を接着剤などによって止水する構成にしてもよい。
【００７６】
（５）上記実施形態では、電線カバー２０内に導入した複数の電線Ｗを保持部３３によって後方に向かって直線的に延びた状態に保持する構成にした。しかしながら、これに限らず、電線にゴム栓が外嵌されていなければ、電線を保持部によって保持しない構成にしてもよい。
（６）上記実施形態では、傾斜部３４によって小径電線ＷＳを左斜め後方に向かって直線状に配置する構成にした。しかしながら、これに限らず、電線を左斜め後方に向かって円弧状に配置する構成にしてもよい。
【００７７】
（７）上記実施形態では、ハウジング５０と電線カバー２０とをジョイントカバー８０によって一体にする固定する構成にした。しかしながら、これに限らず、電線カバーをハウジングに直接固定する構成にしてもよい。
（８）上記実施形態では、３本の小径電線ＷＳを案内部３０によって案内する構成にした。しかしながら、これに限らず、案内部によって案内される電線は１本や２本でもよく、４本以上に構成してもよい。
【符号の説明】
【００７８】
１０：電線カバー付きコネクタ
２０：電線カバー
２２：カバー本体
５０：ハウジング
３０：案内部
３３：保持部
３４：傾斜部
３４Ｆ：傾斜部の前端位置（「傾斜開始位置」の一例）
３６：係止部
３７：余長収容空間
４５：止水部材
Ｇ：ゴム栓
Ｗ：電線
ＷＬ１：左側の大径電線（「基準電線」の一例）
Ｓ：シース（「外被覆」の一例）
【図１】
2020030907.tif 000003
【図２】
2020030907.tif 000004
【図３】
2020030907.tif 000005
【図４】
2020030907.tif 000006